(57)【要約】      （修正有）【課題】従来の風による錘重の揺れに関係なく、半導体レーザーの光源からの光線の照射点のため位置決めに難点がなく、境界杭の先端部と地表面側を同時に照射できる埋立て器具を提供する。【解決手段】台座５と柱７と腕１３および半導体レーザー１の固定治具１６からの構成である。半導体レーザー１の光源２の光線の直進性と照射点３を利用して境界杭４の埋立て作業時の位置決めに使用する考案である。あらかじめ定められている位置に半導体レーザー１の光線の照射点３を合わせ、境界杭４の埋立てのために地面に穴１３を掘り、穴１３の底に照射された照射点３に境界杭４の先端を当て、土を穴に埋める。埋立ての後、境界杭４の地表面側に半導体レーザー１の光線の照射点３の照射があることを確認することにより境界杭４が垂直に埋められていることを確認できる。【選択図】図１
0003154027.tif 000002
【実用新案登録請求の範囲】
【請求項１】
土木工事等での境界杭４の設置作業に使用する器具で、台座５と柱７と腕１３および半導体レーザー１の固定治具１６からなる構成であり、光源２の光線の直進性を利用した器具で、半導体レーザー１の光源２による光線の照射点３にて位置決めをする。腕１３を旋回することにより穴掘り作業に支障なく、腕７を元に戻すことにより境界杭４を垂直に埋立てをしたことを照射点３にて確認できる構成である。
【請求項２】
半導体レーザー１の光源２を取除き、これに距離測定用のポールを挿入することにより測量機を使用して距離測定なども出来、従来二人一組での作業も一人の作業者で作業が出来るものである。
【考案の詳細な説明】
【技術分野】
【０００１】本考案は、土木工事等での境界杭４の埋立て設置作業時に使用する器具である。
【背景技術】
【０００２】従来は、三脚を介して糸および錘重により位置決めをし、境界杭４を埋立てていた。【０００３】風などによる錘重の揺れで位置決めに難点があり、境界杭４を垂直に埋立てが出来ずに傾斜して埋立てることもあった。
【考案の概要】
【考案が解決しようとする課題】
【０００４】半導体レーザー１の光源２による照射点３で境界杭４の埋立て位置決めをする。境界杭４の埋立て作業時に照射点３は光源２からの光線は直線上であり、境界杭４の先端部も地表面側も同一の照射点３を有することになる。【０００５】本考案は、半導体レーザー１の光源２を揺れることなく保持する台座５と柱７と腕１３及び半導体レーザー固定治具１６を有する器具である。
【課題を解決するための手段】
【０００６】台座５に垂直に立てた柱７、台座５に水平に設置された腕１３、腕１３にレーザーポインターなどの半導体レーザー１及び半導体レーザー固定治具１６からなる構成である。
【考案の効果】
【０００７】従来の風による錘重の揺れに関係なく、半導体レーザー１の光源２からの光線の照射点３のため位置決めに難点がなく、境界杭４の先端部と地表面側を同時に照射できる。【０００８】先ずスコップで穴１８を掘り、穴１８の底の照射点３の位置に境界杭４の先端部を挿入し土を埋める。土を埋め続け境界杭４の地表面側に照射点３の照射を有することを確認し、作業の終了である。この時、境界杭４は地面に垂直に埋立てられている。【０００９】地面にスコップなどで穴１８を掘る時、光源２の半導体レーザー固定治具１６や腕１３が邪魔な時は、柱７を中心にして腕１３を邪魔にならない位置に旋回しておく。
【図面の簡単な説明】
【００１０】
【図１】は本考案の斜視図。
【図２】は本考案の実施例を示す斜視図。
【図３】は本考案の実施を示す斜視図。
【考案を実施するための形態】
【００１１】本考案は、台座５に取付けた柱７と腕１３と半導体レーザー固定治具１６及び半導体レーザー１に三分割されている。
【００１２】現地作業場において、それぞれ図１の様に組み立てをする。
【００１３】この時に、台座５に水準器をあてて水平調整ネジ６で水平を保持する。
【実施例】
【００１４】以下、図面により説明する。地面に位置決めされているマーク位置に向けて腕１３を旋回し柱の旋回停止ネジ９で締める。腕１３と溝１５に接する半導体レーザー固定治具１６をスライドさせてマーク位置に半導体レーザー１の光源２の照射点３を合わせ治具固定ネジ１７を締める。【００１５】腕１３に取付けた旋回用の柱８に有する腕の位置決め板１０のストッパー１２に、腕１３に接続する腕の旋回停止板１４を合わせ、腕の位置決めネジ１１で固定する。【００１６】腕１３を旋回し、更に元に戻しても最初に決められているマーク位置に照射点３は元の位置を照射し、境界杭４の埋立て後の確認も容易に出来る。
【産業上の利用可能性】
【００１７】従来の境界杭４の埋立て作業は、二名一組でしていたが本稿案実施おいては、作業者は一人で作業をすることが出来、作業時間も短縮される。【００１８】本考案の器具より半導体レーザー１を取除き、この箇所に測量用のポールやプリズム鏡を取付けることにより、測量機を使って一人で距離の測量なども出来る。
【符号の説明】
【００１９】    １  半導体レーザー
２  光源
３  照射点
４  境界杭
５  台座
６  水平調整ネジ
７  柱
８  腕に取付けた旋回用の柱
９  柱の旋回停止ネジ
１０  腕の位置決め板
１１  腕の位置決めネジ
１２  ストッパー
１３  腕
１４  腕の旋回停止板
１５  溝
１６  半導体レーザーの固定治具
１７  治具固定ネジ
１８  穴
【図１】
0003154027.tif 000003
【図２】
0003154027.tif 000004
【図３】
0003154027.tif 000005
【手続補正書】
【提出日】平成21年4月15日(2009.4.15)
【手続補正１】
【補正対象書類名】実用新案登録請求の範囲
【補正対象項目名】全文
【補正方法】変更
【補正の内容】
【実用新案登録請求の範囲】
【請求項１】
土木工事等での境界杭４の設置作業に使用する器具で、台座５と柱７と腕１３および半導体レーザー１の固定治具１６からなる構成であり、光源２の光線の直進性を利用した器具で、半導体レーザー１の光源２による光線の照射点３にて位置決めをし、腕１３を旋回することにより穴掘り作業に支障なく、腕７を元に戻すことにより境界杭４を垂直に埋立てをしたことを照射点３にて確認できる境界杭の埋立て器具。
【請求項２】
半導体レーザー１の光源２を取除き、これに距離測定用のポールを挿入することにより測量機を使用して距離測定なども出来ることを特徴とする請求項１記載の器具。
【手続補正書】
【提出日】平成21年7月1日(2009.7.1)
【手続補正１】
【補正対象書類名】実用新案登録請求の範囲
【補正対象項目名】全文
【補正方法】変更
【補正の内容】
【実用新案登録請求の範囲】
【請求項１】
台座５に一端が垂直に固定され他端には旋回可能な腕１３を有する柱７、腕１３を滑る半導体レーザーの固定治具１６に垂直に固定された半導体レーザー１により構成されており、半導体レーザー１の光源２の直進性を利用して照射点３にて境界杭４の埋立て測定位置決めをし、更に柱７との旋回機能を有する腕の位置決め板１０及びこれに固定されたストッパー１２を腕１３に固定された腕の旋回停止板１４に旋回して密着させて腕の位置決めネジ１１により固定することで照射点３は腕１３を旋回して穴１８掘り作業ののち腕１３を元の位置に戻しても照射点３は当初の測定位置を照射するため境界杭４の先端部を穴１８の中の照射点３に当て直立させて頭頂部に照射点３を確認しつつ埋立て作業をすることにより境界杭４を垂直に埋立ての出来る、境界杭の埋立て器具。
【手続補正書】
【提出日】平成21年7月1日(2009.7.1)
【手続補正１】
【補正対象書類名】図面
【補正対象項目名】図２
【補正方法】変更
【補正の内容】
【図２】
0003154027.tif 000006
【手続補正２】
【補正対象書類名】図面
【補正対象項目名】図３
【補正方法】変更
【補正の内容】
【図３】
0003154027.tif 000007